(57)【要約】【目的】  安定的に受信映像を提示できるディジタル放送受信装置を提供する。【構成】  第１チューナ２Ａは少なくとも弱階層放送（固定装置向け放送）を受信するように構成され、第２チューナ２Ｂは強階層放送及び／又は中階層放送（携帯端末向け放送及び／又は移動体装置向け放送）を受信するように構成されている。チューナ２Ａ・２Ｂは基本的には双方同時に電力供給を受けて動作する。ＣＰＵ４は、チューナ２Ａ・２Ｂに対して同一のチャンネル（サービス）を受信させる制御を行う。ＣＰＵ４は、両チューナ２Ａ・２Ｂにおいて受信可と判断したときには、第１デコーダ部３Ａ（固定向け放送受信系）の出力映像音声信号を選択させるべく切替回路５に指令を与える。第１チューナ２Ａにおいて受信不可と判断したときには、第２デコーダ部３Ｂ（携帯端末向け等放送受信系）の出力映像音声信号を選択させるべく切替回路５に指令を与える。【選択図】        図１
2005252512.tif 000002
【特許請求の範囲】
【請求項１】
ディジタル放送の少なくとも弱階層放送を受信して映像音声生成を行う第１受信部と、ディジタル放送の中階層放送及び／又は強階層放送を受信して映像音声生成を行う第２受信部と、前記第１受信部と第２受信部のいずれかの映像音声出力を選択して映像表示部及び音声出力部に供給する選択手段と、前記選択手段に選択指令信号を与える制御手段と、を備えて可搬型に構成され、且つ、前記第１受信部と第２受信部はその双方が同時に受信動作を行い得るように構成されていることを特徴とするディジタル放送受信装置。
【請求項２】
請求項１に記載のディジタル放送受信装置において、前記制御手段は、第１受信部にて映像音声出力が行えている状態では前記選択手段に対して第１受信部の映像音声を選択するよう指令を与えることを特徴とするディジタル放送受信装置。
【請求項３】
請求項１に記載のディジタル放送受信装置において、各受信部における受信信号品質を判定する手段を備え、前記制御手段は、受信信号品質に基づいて選択指令信号を与えることを特徴とするディジタル放送受信装置。
【請求項４】
請求項１乃至請求項３のいずれかに記載のディジタル放送受信装置において、装着された電池にて駆動され、前記制御手段は、電池残量が所定値を下回ったときに、第１受信部への通電を停止させると共に第２受信部から出力される映像音声を選択させることを特徴とするディジタル放送受信装置。
【請求項５】
請求項１乃至請求項３のいずれかに記載のディジタル放送受信装置において、ユーザによって操作されるスイッチを備え、前記制御手段は、前記スイッチにて低消費電力モードが選択された場合に、第１受信部への通電を停止させると共に第２受信部から出力される映像音声を選択させることを特徴とするディジタル放送受信装置。
【請求項６】
請求項１乃至請求項３のいずれかに記載のディジタル放送受信装置において、車載型として構成され、前記制御手段は、エンジンＯＦＦを検出したときには、第１受信部への通電を停止させると共に第２受信部から出力される映像音声を選択させることを特徴とするディジタル放送受信装置。
【発明の詳細な説明】
【技術分野】
【０００１】
この発明は、ディジタル放送を受信するディジタル放送受信装置に関する。
【背景技術】
【０００２】
地上波を用いるディジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）と呼ばれる伝送方式が用いられ、当該放送波を受信するディジタル放送受信装置としては、家屋内に固定的に設置される受信装置の他に、携帯機器に受信機能が付加されたものや車などの移動体において使用されることを目的とした機器（以下、可搬型装置という）としての利用を想定している。このため、単一の伝送路符号化での放送だけでなく、複数の異なる伝送路符号化を用いる階層伝送を行うことが考えられている。この階層伝送においては例えば最大３つの階層が用いられ、所要Ｃ／Ｎ比が低い順に、強階層、中階層、弱階層が存在する。そして、可搬型装置向けには強階層放送や中階層放送が行われる。固定受信機は、全階層の受信が行えるように構成され（ただし、強階層に含まれる映像・音声データの品質は、弱階層の映像・音声データの品質よりも劣るため、一般には使用しない。また、制御のためのＰＤＩ／ＳＩは強階層に含まれるものを使用する場合はある。）、移動体用受信機は中階層及び強階層の受信が行えるように構成され、携帯型受信機は強階層の受信が行えるように構成される。すなわち、可搬型装置では弱階層放送を受信する構成にはならない。なお、受信態様が固定位置受信の場合も移動受信の場合も良好な受信特性が得られる等化器が知られている（特許文献１参照）。
【特許文献１】特開２００３−２８３３９２号公報
【発明の開示】
【発明が解決しようとする課題】
【０００３】
強階層放送や中階層放送に比べて弱階層放送の方が画質に優れるため、固定受信機用チューナ（強階層、中階層、弱階層の全てを受信できるチューナ）を可搬型装置に搭載し、電波状況が安定しているときに前記チューナを弱階層放送用や中階層放送用として動作させる一方、電波状況が不安定なときには前記チューナを強階層放送用として動作させることが考えられる。
【０００４】
しかしながら、これでは階層切替に際して安定的に受信映像を提示することができない。
【０００５】
この発明は、上記の事情に鑑み、安定的に受信映像を提示することができるディジタル放送受信装置を提供することを目的とする。
【課題を解決するための手段】
【０００６】
この発明のディジタル放送受信装置は、上記の課題を解決するために、ディジタル放送の少なくとも弱階層放送を受信して映像音声生成を行う第１受信部と、ディジタル放送の中階層放送及び／又は強階層放送を受信して映像音声生成を行う第２受信部と、前記第１受信部と第２受信部のいずれかの映像音声出力を選択して映像表示部及び音声出力部に供給する選択手段と、前記選択手段に選択指令信号を与える制御手段と、を備えて可搬型に構成され、且つ、前記第１受信部と第２受信部はその双方が同時に受信動作を行い得るように構成されていることを特徴とする。
【０００７】
上記の構成であれば、第１受信部での放送受信によって高画質な映像を提示できる。一方、第１受信部での放送受信が困難なときには、第２受信部での受信映像表示に切り替えることができるので、画質は低下するものの、同一番組の放送視聴を継続することができる。更に、第１受信部及び第２受信部が双方同時に動作して映像音声を提示できる状態にあるため、切替がスムーズに行われ、安定的に受信映像を提示することができる。
【０００８】
上記構成のディジタル放送受信装置において、前記制御手段は、第１受信部にて映像音声出力が行えている状態では前記選択手段に対して第１受信部の映像音声を選択するよう指令を与えることとしてもよい。或いは、各受信部における受信信号品質を判定する手段を備え、前記制御手段は、受信信号品質に基づいて選択指令信号を与えることとしてもよい。
【０００９】
これら構成のディジタル放送受信装置において、装着された電池にて駆動され、前記制御手段は、電池残量が所定値を下回ったときに、第１受信部への通電を停止させると共に第２受信部から出力される映像音声を選択させることとしてもよい。或いは、ユーザによって操作されるスイッチを備え、前記制御手段は、前記スイッチにて低消費電力モードが選択された場合に、第１受信部への通電を停止させると共に第２受信部から出力される映像音声を選択させることとしてもよい。或いは、車載型として構成され、前記制御手段は、エンジンＯＦＦを検出したときには、第１受信部への通電を停止させると共に第２受信部から出力される映像音声を選択させることとしてもよい。これらの構成であれば、消費電力を低減して受信可能時間を引き延ばすことが可能となる。
【発明の効果】
【００１０】
この発明によれば、第１受信部及び第２受信部が双方同時に動作して映像音声を提示できる状態にあるため、切替がスムーズに行われ、安定的に受信映像を提示することができる。第１受信部及び第２受信部を双方同時に動作させないモードを備える構成では、消費電力の低減が図れる。
【発明を実施するための最良の形態】
【００１１】
以下、この発明の実施形態を図１に基づいて説明する。図１は地上ディジタル放送波を受信することができる可搬型（携帯型や車載型等）のディジタル放送受信装置のブロック図である。
【００１２】
アンテナ１は地上放送局から送られてくるディジタル放送波を受信する。第１チューナ２Ａ及び第２チューナ２Ｂは、映像・音声データを含む高周波ディジタル変調信号のうちから特定周波数の信号を取り出す。また、チューナ２Ａ・２Ｂは、復調回路、逆インタリーブ回路、誤り訂正回路などを備えることにより、選択したディジタル変調信号を復調してトランスポート・ストリームを出力する。この実施形態では、第１チューナ２Ａは少なくとも弱階層放送（固定装置向け放送）を受信するように構成され、第２チューナ２Ｂは強階層放送及び／又は中階層放送（携帯端末向け放送及び／又は移動体装置向け放送）を受信するように構成されている。チューナ２Ａ・２Ｂは基本的には双方同時に電力供給を受けて動作する。
【００１３】
第１デコーダ部３Ａは第１チューナ２Ａからのトランスポート・ストリームを入力し、第２デコーダ部３Ｂは第２チューナ２Ｂからのトランスポート・ストリームを入力する。デコーダ部３Ａ・３Ｂは、基本的には双方同時に電力供給を受けて動作する。
【００１４】
デコーダ部３Ａ・３Ｂは、前記トランスポート・ストリームを、例えばＭＰＥＧ（Ｍｏｖｉｎｇ  Ｐｉｃｔｕｒｅ  Ｅｘｐｅｒｔｓ  Ｇｒｏｕｐ）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離し、ＰＳＩ／ＳＩに含まれる番組情報等をＣＰＵ４に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。
【００１５】
また、デコーダ部３Ａ・３Ｂは、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。また、デコーダ部３Ａ・３Ｂは、デコードにより生成された映像データに対してＤ／Ａ変換を行い、例えばコンポジット映像信号に変換すると共に、デコードにより生成された音声データに対してＤ／Ａ変換を行い、例えば右（Ｒ）音のアナログ信号及び左（Ｌ）音のアナログ信号を生成する。
【００１６】
切替回路５は、第１デコーダ部３Ａからの映像音声信号及び第２デコーダ部３Ｂからの映像音声信号を入力し、そのいずれかをＣＰＵ４から与えられる切替指令によって選択する。切替回路５が選択した映像音声信号は図示しない映像表示パネル及びスピーカに与えられる。
【００１７】
ＣＰＵ４は、以下の（１）又は（２）の処理を行う。
【００１８】
（１）ＣＰＵ４は、チューナ２Ａ・２Ｂに対して同一のチャンネル（サービス）を受信させる制御を行う。ＣＰＵ４は、チューナ２Ａ・２Ｂから例えばエラーレートを取得し、各チューナ２Ａ・２Ｂでの放送受信の可否を判定する。両チューナ２Ａ・２Ｂにおいて受信可と判断したときには、第１デコーダ部３Ａ（固定向け放送受信系）の出力映像音声信号を選択させるべく切替回路５に指令を与える。第１チューナ２Ａにおいて受信不可と判断したときには、第２デコーダ部３Ｂ（携帯端末向け等放送受信系）の出力映像音声信号を選択させるべく切替回路５に指令を与える。両チューナ２Ａ・２Ｂにおいて受信不可と判断したときには、図示しないＯＳＤ回路（オンスクリーンディスプレイ回路）にて「受信できません」といった文字メッセージを表示させる。
【００１９】
（２）ＣＰＵ４は、チューナ２Ａ・２Ｂに対して同一のチャンネル（サービス）を受信させる制御を行う。ＣＰＵ４は、チューナ２Ａから受信信号品質を示す信号を受け取る。受信信号品質を示す信号としては、Ｃ／Ｎ比、中間信号強度、エラーレートなどを用いることができる。ＣＰＵ４は、図示しないメモリに格納してある基準値とチューナ２Ａからの受信信号品質とを比較し、受信信号品質が基準値以上かどうかを判定する。基準値は、例えば、弱階層放送が十分に受信できる値とする。ＣＰＵ４は、受信信号品質が基準値以上であれば、第１デコーダ部３Ａの出力映像音声信号を選択させるべく切替回路５に指令を与える。それ以外のときには、第２デコーダ部３Ｂの出力映像音声信号を選択させるべく切替回路５に指令を与える。なお、単なる基準値との比較ではなく、所定間隔で受信信号品質をサンプリングし、受信信号品質の傾向を判定するようにしてもよい。この場合、低下傾向で数秒後に弱階層放送が受信できなくなるとの予測が得られたとき（当該時点では第１デコーダ部３Ａによる受信映像の提示が可能であるが）、第１デコーダ部３Ａの出力映像音声信号を選択させるようにしてもよい。
【００２０】
上述した（１）及び（２）の制御では、固定向け放送受信系での放送受信可能によって高画質な映像を提示できる。一方、固定向け放送受信系での放送受信が困難なときには、携帯端末向け等放送受信系に切り替えることができるので、画質は低下するものの、同一番組の放送視聴を継続することができる。更に、固定向け放送受信系及び携帯端末向け等放送受信系が双方同時に動作して映像音声を提示できる状態にあるため、切替がスムーズに行われ、安定的に受信映像を提示することができる。
【００２１】
固定向け放送受信系及び携帯端末向け等放送受信系を双方同時に動作させない場合もある。同時に動作させないときには、消費電力の低減が図れる。固定向け放送受信系及び携帯端末向け等放送受信系を個別に動作させるには、個別の電力供給系統及び各系統をＯＮ／ＯＦＦ制御するスイッチを設けておけばよい。これについて以下に説明していく。
【００２２】
［ディジタル放送受信装置が電池駆動型に構成されている場合］
ＣＰＵ４は、図示しない電池残量検出部から電池残量を示す信号を受け取る。ＣＰＵ４は、電池残量が所定値を下回ったときには、固定向け放送受信系の動作を停止させる（電力供給停止）。そして、携帯端末向け等放送受信系により出力される映像音声を選択するように切替回路５に指令を与える。
【００２３】
［ディジタル放送受信装置が車載型に構成されている場合］
車のイグニッションキースイッチにおいては、ＯＦＦ−Ａｃｃ−ＯＮ―Ｅｇｎの４つの位置が設定され、それぞれ駐車−電装品への電源供給−エンジンＯＮ−スタータモータ作動時の各状態である。車載型のディジタル放送受信装置は、イグニッションキースイッチがＡｃｃの状態及びＯＮのときに図示しない車載バッテリから電力供給を受ける。また、ディジタル放送受信装置のＣＰＵ４は、Ａｃｃの状態かＯＮかを示す信号をイグニッションキースイッチから受け取るように構成される。ＣＰＵ４は、イグニッションキースイッチの状態に基づいてエンジンのＯＮ／ＯＦＦ状態を判定する。そして、エンジンがＯＦＦであるときには、固定向け放送受信系の動作を停止させ（電力供給停止）、携帯端末向け等放送受信系により出力される映像音声を選択するように切替回路５に指令を与える。
【００２４】
［ディジタル放送受信装置に手動スイッチを設ける場合］
かかる手動スイッチは、通常モードと低消費電力モードを切り替えるスイッチである。通常モードは固定向け放送受信系及び携帯端末向け等放送受信系を双方同時に動作させるモードであり、低消費電力モードは携帯端末向け等放送受信系だけを動作させるモードである。ＣＰＵ４は、前記スイッチにて低消費電力モードが選択された場合に、固定向け放送受信系の動作を停止させ（電力供給停止）、携帯端末向け等放送受信系により出力される映像音声を選択するように切替回路５に指令を与える。
【００２５】
なお、固定向け放送受信系と携帯端末向け等放送受信系がチップとして別個に構成される必要はなく、同一チップ上に固定向け放送受信系の回路と携帯端末向け放送受信系の回路を作り込んでもよい。
【図面の簡単な説明】
【００２６】
【図１】この発明の実施形態のディジタル放送受信装置を示したブロック図である。
【符号の説明】
【００２７】
２Ａ  第１チューナ
２Ｂ  第２チューナ
３Ａ  第１デコーダ部
３Ｂ  第２デコーダ部
４    ＣＰＵ
５    切替回路
【図１】
2005252512.tif 000003